(57)【要約】      （修正有）【課題】危険な作業現場で手を保護するために着用する手袋のうっとうしい感じを解消し、手つきが自由で精密な作業を可能にした４本指タイプ手袋を提供する。【解決手段】手袋の本体一側に親指、人差指、中指、薬指、小指または親指、人差指、指のまとめ入れ部が形成され、他側に手をはめるための開口部が形成された４本指タイプの手袋において、下端に親指穴１が形成され、指端に延びて側面に羽が形成された前面人差指３、背面人差指４、背面中指８、背面指のまとめ入れ部１３が形成された一体的な皮片と、別途に裁断された中指部６ａ、指のまとめ入れ部１４が形成されており、上記指端１２と前面人差指の羽２ａ間に裁縫される指皮２００ａとを含む。【選択図】図６Ｃ
2004204428.tif 000002
【特許請求の範囲】
【請求項１】
手袋の本体一側に親指、人差指、中指、薬指、小指または親指、人差指、指のまとめ入れ部が形成され、他側に手をはめるための開口部が形成された手袋において、
下端に親指穴が形成され、指端に延びて側面に羽が形成された前面人差指、背面人差指、背面中指、背面指のまとめ入れ部が形成された一体的な皮片と、
別途に裁断された中指部、指のまとめ入れ部が形成されており、上記指端と前面人差指の羽間に裁縫される指皮とを含むことを特徴とする４本指タイプ手袋。
【請求項２】
背面人差指、背面中指、背面指のまとめ入れ部間のいずれか一つ以上の背面縫合点が上方に移動したことを特徴とする請求項１に記載の４本指タイプ手袋。
【請求項３】
手袋の本体一側に親指、人差指、中指、薬指、小指または親指、人差指、指のまとめ入れ部が形成され、他側に手をはめるための開口部が形成された手袋において、
下側に親指穴が形成され、指端に延びて側面に羽が形成された前面指のまとめ入れ部、背面指のまとめ入れ部、背面中指、背面人差指が形成された一体的な皮片と、
別途に裁断された中指部、人差指部が形成されており、前記指端に裁縫して形成された指皮とを含むことを特徴とする４本指タイプ手袋。
【請求項４】
手袋の本体一側に親指、人差指、中指、薬指、小指または親指、人差指、指のまとめ入れ部が形成され、他側に手をはめるための開口部が形成された手袋において、
四角形の下側に親指穴が形成され、上端に指端が形成された手の平皮と、
前記手の平皮に結合され、別途に裁断された人差指部、中指部、指のまとめ入れ部が形成されており、前記指端の上端に裁縫された指皮と、
前記手の平皮に縫合され、背面人差指、背面中指、背面指のまとめ入れ部が形成された手の甲皮とを含むことを特徴とする４本指タイプ手袋。
【請求項５】
手袋の本体一側に親指、人差指、中指、薬指、小指または親指、人差指、指のまとめ入れ部が形成され、他側に手をはめるための開口部が形成された手袋において、
下側に親指穴が形成され、側面に羽が形成された前面指のまとめ入れ部、側面に羽が形成された前面人差指、背面人差指、背面中指、背面指のまとめ入れ部が形成された一体的な皮片と、
別途に裁断され、前記前面指のまとめ入れ部の羽と前面人差指の羽間に裁縫される前面中指皮とを含むことを特徴とする４本指タイプ手袋。
【請求項６】
手袋の本体一側に親指、人差指、中指、薬指、小指または親指、人差指、指のまとめ入れ部が形成され、他側に手をはめるための開口部が形成された手袋において、
下側に親指穴が形成され、背面人差指、背面中指、背面指のまとめ入れ部、側面に羽が形成された前面指のまとめ入れ部、側面に羽が形成された前面人差指が一体に裁断された一体的な皮片と、
別途に裁断され、前記前面指のまとめ入れ部の羽と前面人差指の羽間に裁縫される前面中指皮とを含むことを特徴とする４本指タイプ手袋。
【発明の詳細な説明】
【技術分野】
【０００１】
本発明は４本指タイプ手袋に係り、より詳細には、飛散する高熱の飛び火、鋭いかまたは高熱の金属などをつかむか移動させる危険な作業現場で手を保護するために着用する手袋として、多様な形態に裁断された手の平皮または一体的な皮片に別途に裁断された多様な形態の指皮を裁縫し、人差指と中指とは個別に分離して薬指と小指とが一つの指のまとめ入れ部で形成された手袋を製作して、背面または手刀の裁縫線を除去することによりうっとうしい感じを解消し、親指、人差指、指のまとめ入れ部で形成されていて精密な作業を行うのに不便であったことを親指、人差指、中指、指のまとめ入れ部で形成することによって手つきが自由で精密な作業を可能にし、人差指、中指、薬指、小指が形成されていて指間が狭かったことを人差指、中指、指のまとめ入れ部で形成することによって指間の余裕空間を確保して各指間のうっとうしい感じを除去し、手つきが自由で作業中の手の疲労感を減らして作業能率を向上させうる４本指タイプ手袋に関する。
【背景技術】
【０００２】
一般的に手袋は一側に親指、人差指、中指、薬指、小指または親指、人差指、指のまとめ入れ部が形成され、他側に手をはめるための開口部が形成されて手袋を着用してから作業目的に応じて鋭いかあるいは高温の物をつかむか移動させるが、手の傷または火傷を防止するために防炎効果の優秀な厚い材質の皮革製品で製作されている。
【０００３】
ところが、従来の手袋は、図１Ａないし図１Ｄに図示されたように、下端に親指穴１が形成され、上端に羽２ａが形成された前面小指２、羽３ａが形成された前面人差指３、背面人差指４が一体に裁断され、上記背面人差指４の一側端に縫合端５が形成された前面皮１００に中指部６、薬指部７で形成された指皮２００を別途に裁断して前面小指の羽２ａと前面人差指の羽３ａ間に裁縫し、背面中指８、背面薬指９、背面小指１０が一体に形成され、上記背面中指８の一側端に縫合端５ａが形成された背面皮３００において上記前面皮１００の背面人差指４の一側端の縫合端５と裁縫され、下端の親指穴１に親指帯４００を裁縫し、親指皮４００の上面に裁縫線保護帯５００を裁縫し、下端にカウス６００を裁縫することにより製作される。
【発明の開示】
【発明が解決しようとする課題】
【０００４】
上記のような手袋は親指、人差指、中指、薬指、小指を形成するために複数の厚い裁断皮を裁縫し合って製作するが、他の皮と裁縫された裁縫線により発生するうっとうしい感じによって痛みが伴われ、そのうっとうしい感じにより指間が擦れて長時間持続される作業中には手袋を完全に着用できずに半分抜いた状態で作業したりまたはしばらく手袋を脱ぐ動作を繰り返さなければならなかった。
【０００５】
上記の問題点を補完した手袋は、図２Ａないし図２Ｃに図示されたように、下端に親指穴１が形成され、上端に前面指のまとめ入れ部１１、前面人差指３、側面に羽４ａを形成した背面人差指４が一体に裁断された前面皮１００ａと、上記前面皮１００ａと縫合される、側面に羽７００ａを形成した背面指のまとめ入れ皮７００と、上記前面皮１００ａの親指穴１に裁縫される親指皮４００と、上記前面皮１００ａ及び背面指のまとめ入れ皮７００の下端に裁縫されるカウス６００と、より構成されて製作された手袋であるが、この手袋は中指、薬指、小指はあまり使用せず、親指と人差指とを主に使用する作業現場で使われるが、中指、薬指、小指間に余裕空間が十分に確保されて長時間固定作業が持続される現場でも指間のうっとうしい感じは除去できるが、指形成部の数が少ないために小さな物をつかんだり取ることが不便であり、精密な作業では作業能率を低下させる問題点があった。
【０００６】
本発明は上記のような従来の問題点を解決するために提案されたものであって、手袋を親指、人差指、中指、指のまとめ入れ部で構成するために薬指と小指とを共に収容する指のまとめ入れ部が形成された一体的な皮片に指皮を形成して指間の空間を確保し、また中指、薬指、小指を共に収容していた指のまとめ入れ部に作業中にあまり使われない薬指、小指だけを収容させ、中指は作業中に自由に活動可能になって精密な作業を行える４本指タイプ手袋を提供することを目的とする。
【課題を解決するための手段】
【０００７】
上記のような目的を達成するための本発明による４本指タイプ手袋は、手袋の本体一側に親指、人差指、中指、薬指、小指または親指、人差指、指のまとめ入れ部が形成され、他側に手をはめるための開口部が形成された手袋において、下端に親指穴が形成され、指端に延びて側面に羽が形成された前面人差指、背面人差指、背面中指、背面指のまとめ入れ部が形成された一体的な皮片と、別途に裁断された中指部、指のまとめ入れ部が形成されており、前記指端と前面人差指の羽間に裁縫される指皮と、を含むことを特徴とする。
【０００８】
また、本発明の望ましい一実施例による４本指タイプ手袋は、背面人差指、背面中指、背面指のまとめ入れ部間のいずれか一つ以上の背面縫合点が上方に移動したことを特徴とする。
【０００９】
また、本発明の望ましい他の実施例による４本指タイプ手袋は、手袋の本体一側に親指、人差指、中指、薬指、小指または親指、人差指、指のまとめ入れ部が形成され、他側に手をはめるための開口部が形成された手袋において、下側に親指穴が形成され、指端に延びて側面に羽が形成された前面指のまとめ入れ部、背面指のまとめ入れ部、背面中指、背面人差指が形成された一体的な皮片と、別途に裁断された中指部、人差指部が形成されており、前記指端に裁縫して形成された指皮と、を含むことを特徴とする。
【００１０】
また、本発明の望ましいさらに他の実施例による４本指タイプ手袋は、手袋の本体一側に親指、人差指、中指、薬指、小指または親指、人差指、指のまとめ入れ部が形成され、他側に手をはめるための開口部が形成された手袋において、四角形の下側に親指穴が形成され、上端に指端が形成された手の平皮と、前記手の平皮に結合され、別途に裁断された人差指部、中指部、指のまとめ入れ部が形成されており、前記指端の上端に裁縫された指皮と、前記手の平皮に縫合され、背面人差指、背面中指、背面指のまとめ入れ部が形成された手の甲皮と、を含むことを特徴とする。
【００１１】
また、本発明の望ましいさらに他の実施例による４本指タイプ手袋は、手袋の本体一側に親指、人差指、中指、薬指、小指または親指、人差指、指のまとめ入れ部が形成され、他側に手をはめるための開口部が形成された手袋において、下側に親指穴が形成され、側面に羽が形成された前面指のまとめ入れ部、側面に羽が形成された前面人差指、背面人差指、背面中指、背面指のまとめ入れ部が形成された一体的な皮片と、別途に裁断され、前記前面指のまとめ入れ部の羽と前面人差指の羽間に裁縫される前面中指皮と、を含むことを特徴とする。
【００１２】
また、本発明の望ましいさらに他の実施例による４本指タイプ手袋は、手袋の本体一側に親指、人差指、中指、薬指、小指または親指、人差指、指のまとめ入れ部が形成され、他側に手をはめるための開口部が形成された手袋において、下側に親指穴が形成され、背面人差指、背面中指、背面指のまとめ入れ部、側面に羽が形成された前面指のまとめ入れ部、側面に羽が形成された前面人差指が一体に裁断された一体的な皮片と、別途に裁断され、前記前面指のまとめ入れ部の羽と前面人差指の羽間に裁縫される前面中指皮と、を含むことを特徴とする。
【発明の効果】
【００１３】
本発明による４本指タイプ手袋によれば、人差指、中指、薬指、小指で形成された手袋を人差指、中指、指のまとめ入れ部だけで形成することにより指間の空間を確保し、また指のまとめ入れ部が中指、薬指、小指を共に収容していたことを、中指は個別的に分離して薬指、小指だけ収容する指のまとめ入れ部を形成して手袋を製作することによって裁縫線の数の減少及び移動によりうっとうしい感じが解消され、中指が個別的に分離されて精密な作業が容易であり、かつ手の疲労感を減らして作業の能率を向上させうる。
【発明を実施するための最良の形態】
【００１４】
以下、本発明の望ましい実施例に基づく４本指タイプ手袋を添付した図面に基づいて詳細に説明すれば次の通りである。
【００１５】
図１Ａないし図１Ｄは従来の手袋を手の甲から見た図、手の平から見た図、裁断された状態での展開図、指皮の立体図、図２Ａないし図２Ｃは従来の手袋の他の例による手袋を手の甲から見た図、手の平から見た図、裁断された状態での展開図、図３Ａないし図３Ｄは本発明に係る第１実施例の一体的な皮片に形成された４本指タイプ手袋を手の甲から見た図、手の平から見た図、裁断された状態での展開図、指皮の立体図、図４Ａないし図４Ｄは本発明に係る第１実施例の一体的な皮片において背面縫合点Ａを上方に移動させた４本指タイプ手袋を手の甲から見た図、手の平から見た図、裁断された状態での展開図、指皮の立体図、図５Ａないし図５Ｄは本発明に係る第１実施例の一体的な皮片において背面縫合点Ｂを上方に移動させた４本指タイプ手袋を手の甲から見た図、手の平から見た図、裁断された状態での展開図、指皮の立体図、図６Ａないし図６Ｄは本発明に係る第１実施例の一体的な皮片において背面縫合点Ａ、Ｂを上方に移動させた４本指タイプ手袋を手の甲から見た図、手の平から見た図、裁断された状態での展開図、指皮の立体図、図７Ａないし図７Ｄは本発明に係る第２実施例の一体的な皮片に形成された４本指タイプ手袋を手の甲から見た図、手の平から見た図、裁断された状態での展開図、指皮の立体図、図８Ａないし図８Ｄは本発明に係る第３実施例の前面と背面とが分離された４本指タイプ手袋を手の甲から見た図、手の平から見た図、裁断された状態での展開図、指皮の立体図、図９Ａないし図９Ｄは本発明に係る第４実施例の一体的な皮片に形成された４本指タイプ手袋を手の甲から見た図、手の平から見た図、裁断された状態での展開図、指皮の立体図、図１０Ａないし図１０Ｄは本発明に係る第５実施例の一体的な皮片に形成された４本指タイプ手袋を手の甲から見た図、手の平から見た図、裁断された状態での展開図、指皮の立体図をそれぞれ示したものである。
【００１６】
図３Ａないし図３Ｄを参考して第１実施例による４本指タイプ手袋を説明すれば、下端に親指穴１が形成され、指端１２に延びて側面に羽３ａが形成された前面人差指３、背面人差指４、背面中指８、背面指のまとめ入れ部１３が形成された一体的な皮片８００に別途に裁断された中指部６ａ、指のまとめ入れ部１４が形成された指皮２００ａを指型に折り込んで指端１２と前面人差指３の羽３ａ間に裁縫し、上記親指穴１に親指皮４００を裁縫し、上記一体的な皮片８００と指皮２００ａとが裁縫された状態で下端にカウス６００を裁縫して手袋を製作する。
【００１７】
このような本発明は、前面人差指３、背面人差指４、背面中指８、背面指のまとめ入れ部１３を一体的な皮片８００に形成して従来の前面皮１００と背面皮３００とを他の皮と裁縫して生成された裁縫線が除去されることにより手の甲面のうっとうしい感じが除去され、人差指、中指、薬指、小指が個別的に形成された従来の手袋では指間に余裕空間がなくて指間にうっとうしい感じがあったことを、作業中にあまり使われない薬指と小指とを共に収容する指のまとめ入れ部を形成することによって各指間に余裕空間を与えてうっとうしい感じを除去し、また中指、薬指、小指を共に収容していた手袋では各指間に十分な余裕空間は確保できたが、収容する指の数があまり多くて手つきが鈍く精密な作業が難しかったことを、作業中にあまり使われない薬指、小指を一つの空間に収容し、中指は自由に使用可能にして精密な作業が可能になった。
【００１８】
そして、上記一体的な皮片８００と指皮２００ａとを多様な形態に切断裁縫して多様な形態の手袋が製作できるが、本発明の望ましい実施例に基づいて詳細に説明すれば次の通りである。
【００１９】
図４ないし図６は、本発明の望ましい第１実施例において縫合点Ａ、Ｂがそれぞれ移動した４本指タイプ手袋に関するものであって、図面中Ａは背面人差指と背面中指間の背面縫合点であり、Ｂは背面中指と背面指のまとめ入れ部間の背面縫合点である。
【００２０】
図４Ａないし図４Ｄに図示されたように、一体的な皮片８００の前面人差指３と中指部６ａとが同じ角度に合った同一角となり、指皮２００ａを指型に折り込んで上記一体的な皮片８００の指端１２に裁縫して手袋を製作する。
【００２１】
したがって、上記一体的な皮片８００の前面人差指３と指皮２００ａの中指部６ａとが同一角となった角度ほど背面人差指４と背面中指８間の背面縫合点Ａが背面指の第１関節上に上がるようになって、背面人差指４と背面中指８間のうっとうしい感じが除去されて着用感がよくなり、手の疲労感を減らすことができる。
【００２２】
また、図５Ａないし図５Ｄに図示されたように、中指部６ａと指のまとめ入れ部１４間が折曲されて立ち上がった形態に形成されて指皮２００ａを指型に折り込んで一体的な皮片８００の指端１２に裁縫して手袋を製作する。
【００２３】
したがって、指皮２００ａの中指６ａと指のまとめ入れ部１４間が折曲されて立ち上がった形態ほど背面中指８と背面指のまとめ入れ部１３との縫合点Ｂが背面指の第１関節上に上がるようになって、背面中指８と背面指のまとめ入れ部１３間のうっとうしい感じが除去される。
【００２４】
一方、図６Ａないし図６Ｄに図示されたように、一体的な皮片８００の前面人差指３と中指部６ａとが同じ角度に合った同一角となり、中指部６ａと指のまとめ入れ部１４間が折曲されてはだかった形態に形成されて上記指皮２００ａを指型に折り込んで一体的な皮片８００の指端１２に裁縫して手袋を製作する。
【００２５】
したがって、上記一体的な皮片８００の前面人差指３と中指部６ａとが同一角となった角度ほど背面人差指４と背面中指８間の背面縫合点Ａが背面指の第１関節上に上がると同時に、中指部６ａと指のまとめ入れ部１４間が折曲されて立ち上がった形態ほど背面中指８と背面指のまとめ入れ部１３間の背面縫合点Ｂが背面指の第１関節上に上がるようになって背面人差指４と背面中指８間、背面中指８と背面指のまとめ入れ部１３間のうっとうしい感じが除去される。
【００２６】
図７は、本発明の第２実施例による４本指タイプ手袋に関するものであって、図７Ａないし図７Ｄに図示されたように、下側に親指穴１が形成され、指端１２に延びて側面に羽１１ａを形成した前面指のまとめ入れ部１１、背面指のまとめ入れ部１３、背面中指８、背面人差指４が形成された一体的な皮片８００ａに別途に裁断された中指部６ａ、人差指部１５が形成された指皮２００ｂを指端１２に裁縫して製作されたものである。
【００２７】
これは第１実施例で前述した一体的な皮片で指形成部の位置を移動して裁縫したものであって、手刀に形成された裁縫線が人差指の側面に形成されて、手刀を底に接触させて作業する現場で手刀のうっとうしい感じを解消して手の痛みを緩和させたものである。
【００２８】
図８は本発明の第３実施例による前面と背面とが分離された４本指タイプ手袋に関するものであって、図８Ａないし図８Ｄに図示されたように、四角形の下側に親指穴１が形成され、上端に指端１２が形成された手の平皮９００に別途に裁断された人差指部１５ａ、中指部６ｂ、指指のまとめ入れ１４ａが形成された指皮２００ｃを手の平皮９００上端の指端１２に裁縫し、背面人差指４、背面中指８、背面指のまとめ入れ部１３が形成された手の甲皮１０００を手の平皮９００と裁縫して製作されたものである。
【００２９】
したがって、指型に折り込まれた指皮２００ｃが人差指部、中指部、指指のまとめ入れの一体を形成して指全体を収容することによって指間に十分な余裕空間を確保して手つきが自由になる。
【００３０】
図９は、本発明の第４実施例による４本指タイプ手袋に関するものであって、図９Ａないし図９Ｄに図示されたように、下側に親指穴１が形成され、側面に羽１１ａが形成された前面指のまとめ入れ部１１、側面羽３ａが形成された前面人差指３、背面人差指４、背面中指８、背面指のまとめ入れ１３が形成された一体的な皮片８００ｂに別途に裁断された前面中指皮１１００をケース型に折り込んで上記前面指のまとめ入れ部１１の羽１１ａと前面人差指３の羽３ａ間に挿入して裁縫したものである。
【００３１】
このような本発明は、上記の前面中指皮１１００だけ前面指のまとめ入れ部１１の羽１１ａと前面人差指３の羽３ａ間に挿入して裁縫するために、手袋の製作が簡単で手袋製作の能率を向上させ、裁縫線を顕著に減らして裁縫線によるうっとうしい感じを減らすことができる。
【００３２】
図１０は、本発明の第５実施例による４本指タイプ手袋に関するものであって、図１０Ａないし図１０Ｄに図示されたように、下側に親指穴１が形成され、背面人差指４、背面中指８、背面指のまとめ入れ部１３、側面に羽１１ａが形成された前面指のまとめ入れ部１１、側面に羽３ａが形成された前面人差指３が一体に形成された一体的な皮片８００ｃに、前面中指皮１１００を上記前面指のまとめ入れ部１１の羽１１ａと前面人差指の羽３ａ間に挿入して裁縫したものである。
【００３３】
このような本発明は、第４実施例で前述した指形成部の位置が移動したものであって、手刀に形成された裁縫線が人差指側面に形成されて手刀を底に接触させて作業を行う現場で手刀のうっとうしい感じを解消して手の痛みを緩和させる。
【００３４】
本発明は溶接用手袋について実施例を記述したが、裁縫線保護帯５００を除去しかつカウス６００長を縮めて着用する作業用手袋の変形にもあらゆる範囲が適用される。
【００３５】
また、本発明は添付した図面に図示された実施例を参考として説明されたが、これは例示的なものに過ぎず、当業者ならばこれより多様な変形及び均等な実施例を想定できるあらゆる範囲を含むといえる。
【００３６】
したがって、本発明の真の保護範囲は特許請求の範囲のみにより定められねばならない。
【産業上の利用可能性】
【００３７】
本発明は４本指タイプ手袋に係り、溶接用手袋だけでなくあらゆる作業用手袋に適用できる。
【図面の簡単な説明】
【００３８】
【図１Ａ】従来の手袋を手の甲から見た図である。
【図１Ｂ】従来の手袋を手の平から見た図である。
【図１Ｃ】従来の手袋の裁断された状態での展開図である。
【図１Ｄ】従来の手袋の指皮の立体図である。
【図２Ａ】従来の手袋の他の例による手袋を手の甲から見た図である。
【図２Ｂ】従来の手袋の他の例による手袋を手の平から見た図である。
【図２Ｃ】従来の手袋の他の例による手袋の裁断された状態での展開図である。
【図３Ａ】本発明に係る第１実施例の一体的な皮片に形成された４本指タイプ手袋を手の甲から見た図である。
【図３Ｂ】本発明に係る第１実施例の一体的な皮片に形成された４本指タイプ手袋を手の平から見た図である。
【図３Ｃ】本発明に係る第１実施例の一体的な皮片に形成された４本指タイプ手袋の裁断された状態での展開図である。
【図３Ｄ】本発明に係る第１実施例の一体的な皮片に形成された４本指タイプ手袋の指皮の立体図である。
【図４Ａ】本発明に係る第１実施例の一体的な皮片において背面縫合点Ａを上方に移動させた４本指タイプ手袋を手の甲から見た図である。
【図４Ｂ】本発明に係る第１実施例の一体的な皮片において背面縫合点Ａを上方に移動させた４本指タイプ手袋を手の平から見た図である。
【図４Ｃ】本発明に係る第１実施例の一体的な皮片において背面縫合点Ａを上方に移動させた４本指タイプ手袋の裁断された状態での展開図である。
【図４Ｄ】本発明に係る第１実施例の一体的な皮片において背面縫合点Ａを上方に移動させた４本指タイプ手袋の指皮の立体図である。
【図５Ａ】本発明に係る第１実施例の一体的な皮片において背面縫合点Ｂを上方に移動させた４本指タイプ手袋を手の甲から見た図である。
【図５Ｂ】本発明に係る第１実施例の一体的な皮片において背面縫合点Ｂを上方に移動させた４本指タイプ手袋を手の平から見た図である。
【図５Ｃ】本発明に係る第１実施例の一体的な皮片において背面縫合点Ｂを上方に移動させた４本指タイプ手袋の裁断された状態での展開図である。
【図５Ｄ】本発明に係る第１実施例の一体的な皮片において背面縫合点Ｂを上方に移動させた４本指タイプ手袋の指皮の立体図である。
【図６Ａ】本発明に係る第１実施例の一体的な皮片において背面縫合点Ａ，Ｂを上方に移動させた４本指タイプ手袋を手の甲から見た図である。
【図６Ｂ】本発明に係る第１実施例の一体的な皮片において背面縫合点Ａ，Ｂを上方に移動させた４本指タイプ手袋を手の平から見た図である。
【図６Ｃ】本発明に係る第１実施例の一体的な皮片において背面縫合点Ａ，Ｂを上方に移動させた４本指タイプ手袋の裁断された状態での展開図である。
【図６Ｄ】本発明に係る第１実施例の一体的な皮片において背面縫合点Ａ，Ｂを上方に移動させた４本指タイプ手袋の指皮の立体図である。
【図７Ａ】本発明に係る第２実施例の一体的な皮片に形成された４本指タイプ手袋を手の甲から見た図である。
【図７Ｂ】本発明に係る第２実施例の一体的な皮片に形成された４本指タイプ手袋を手の平から見た図である。
【図７Ｃ】本発明に係る第２実施例の一体的な皮片に形成された４本指タイプ手袋の裁断された状態での展開図である。
【図７Ｄ】本発明に係る第２実施例の一体的な皮片に形成された４本指タイプ手袋の指皮の立体図である。
【図８Ａ】本発明に係る第３実施例の前面と背面とが分離された４本指タイプ手袋を手の甲から見た図である。
【図８Ｂ】本発明に係る第３実施例の前面と背面とが分離された４本指タイプ手袋を手の平から見た図である。
【図８Ｃ】本発明に係る第３実施例の前面と背面とが分離された４本指タイプ手袋の裁断された状態での展開図である。
【図８Ｄ】本発明に係る第３実施例の前面と背面とが分離された４本指タイプ手袋の指皮の立体図である。
【図９Ａ】本発明に係る第４実施例の一体的な皮片に形成された４本指タイプ手袋を手の甲から見た図である。
【図９Ｂ】本発明に係る第４実施例の一体的な皮片に形成された４本指タイプ手袋を手の平から見た図である。
【図９Ｃ】本発明に係る第４実施例の一体的な皮片に形成された４本指タイプ手袋の裁断された状態での展開図である。
【図９Ｄ】本発明に係る第４実施例の一体的な皮片に形成された４本指タイプ手袋の指皮の立体図である。
【図１０Ａ】本発明に係る第５実施例の一体的な皮片に形成された４本指タイプ手袋を手の甲から見た図である。
【図１０Ｂ】本発明に係る第５実施例の一体的な皮片に形成された４本指タイプ手袋を手の平から見た図である。
【図１０Ｃ】本発明に係る第５実施例の一体的な皮片に形成された４本指タイプ手袋の裁断された状態での展開図である。
【図１０Ｄ】本発明に係る第５実施例の一体的な皮片に形成された４本指タイプ手袋の指皮の立体図である。
【符号の説明】
【００３９】
１００、１００ａ  前面皮
２００、２００ａ、２００ｂ、２００ｃ  指皮
３００  背面皮
４００  親指皮
５００  裁縫線保護帯
６００  カウス
７００  背面指のまとめ入れ皮
７００ａ  背面指のまとめ入れ皮の羽
８００、８００ａ、８００ｂ、８００ｃ  一体的な皮片
９００  手の平皮
１０００  手の甲皮
１１００  前面中指皮
１  親指穴
２  前面小指
２ａ  前面小指の羽
３  前面人差指
３ａ  前面人差指の羽
４  背面人差指
４ａ  背面人差指の羽
５、５ａ  縫合端
６、６ａ、６ｂ  中指部
７  薬指部
８  背面中指
９  背面薬指
１０  背面小指
１１  前面指のまとめ入れ部
１１ａ  前面指のまとめ入れ部の羽
１２  指端
１３  背面指のまとめ入れ部
１４、１４ａ  指のまとめ入れ部
１５、１５ａ  人差指部
【図１Ａ】
2004204428.tif 000003
【図１Ｂ】
2004204428.tif 000004
【図１Ｃ】
2004204428.tif 000005
【図１Ｄ】
2004204428.tif 000006
【図２Ａ】
2004204428.tif 000007
【図２Ｂ】
2004204428.tif 000008
【図２Ｃ】
2004204428.tif 000009
【図３Ａ】
2004204428.tif 000010
【図３Ｂ】
2004204428.tif 000011
【図３Ｃ】
2004204428.tif 000012
【図３Ｄ】
2004204428.tif 000013
【図４Ａ】
2004204428.tif 000014
【図４Ｂ】
2004204428.tif 000015
【図４Ｃ】
2004204428.tif 000016
【図４Ｄ】
2004204428.tif 000017
【図５Ａ】
2004204428.tif 000018
【図５Ｂ】
2004204428.tif 000019
【図５Ｃ】
2004204428.tif 000020
【図５Ｄ】
2004204428.tif 000021
【図６Ａ】
2004204428.tif 000022
【図６Ｂ】
2004204428.tif 000023
【図６Ｃ】
2004204428.tif 000024
【図６Ｄ】
2004204428.tif 000025
【図７Ａ】
2004204428.tif 000026
【図７Ｂ】
2004204428.tif 000027
【図７Ｃ】
2004204428.tif 000028
【図７Ｄ】
2004204428.tif 000029
【図８Ａ】
2004204428.tif 000030
【図８Ｂ】
2004204428.tif 000031
【図８Ｃ】
2004204428.tif 000032
【図８Ｄ】
2004204428.tif 000033
【図９Ａ】
2004204428.tif 000034
【図９Ｂ】
2004204428.tif 000035
【図９Ｃ】
2004204428.tif 000036
【図９Ｄ】
2004204428.tif 000037
【図１０Ａ】
2004204428.tif 000038
【図１０Ｂ】
2004204428.tif 000039
【図１０Ｃ】
2004204428.tif 000040
【図１０Ｄ】
2004204428.tif 000041